(57)【要約】【課題】クマゼミが産卵しようとしても、光ファイバ心線にまで産卵管が到達することのない光ファイバを提供する。【解決手段】紫外線硬化型樹脂で被覆成形した１本以上の光ファイバ心線と、１本以上の抗張力体と、前記光ファイバ心線の両側位置に配置された保護材からなる防御テープと、を熱可塑性樹脂で一括成形被覆した光ファイバケーブルであって、前記防御テープは、一括成形被覆体の外表面に向いて尖頭部が形成される。【選択図】図１
2009139439.tif 000002
【特許請求の範囲】
【請求項１】
紫外線硬化型樹脂で被覆成形した１本以上の光ファイバ心線と、１本以上の抗張力体と、前記光ファイバ心線の両側位置に配置された保護材からなる防御テープと、を熱可塑性樹脂で一括成形被覆した光ファイバケーブルにおいて、
前記防御テープは、一括成形被覆体の外表面に向って尖頭部が形成されること
を特徴とする光ファイバケーブル。
【請求項２】
請求項１において、前記防御テープは、断面三角形防御テープであることを特徴とする光ファイバケーブル。
【請求項３】
請求項１において、前記防御テープは、断面平板状テープに、該平板状テープと一体とされ、該平板状テープの平板面よりも小さい底面積の断面三角形状テープから形成されることを特徴とする光ファイバケーブル。
【請求項４】
請求項１から３のいずれかにおいて、前記一括成形被覆体の外表面部には、前記尖頭部に向けて切り込みが設けられていることを特徴とする光ファイバケーブル。
【発明の詳細な説明】
【技術分野】
【０００１】
本発明は光ファイバケーブルに関する。
【背景技術】
【０００２】
夏季に発生するセミ、特にクマゼミが、この光ファイバケーブルに産卵することで、セミの産卵管によって光ファイバ心線に損傷又は断線が生じるといった事例が報告されている。この損傷又は断線の発生原因の１つとして、Ｖ溝ノッチ部が、クマゼミの産卵管を光ファイバ心線まで到達させるためのガイドとなってしまうため、光ファイバ心線６１の損傷又は断線が生じているということがわかっている。
【０００３】
このため、光ファイバテープ心線の両側位置に、抗張力繊維からなる保護材を配設することが提案されている。
【０００４】
特許文献１には、１本以上の光ファイバ心線又は複数本の光ファイバ心線を紫外線硬化型樹脂で被覆成形してなる１本以上の光ファイバテープ心線と抗張力体を、熱可塑性樹脂で一括成形被覆してなる光ファイバケーブルにおいて、一括被覆体の内部の、光ファイバ心線又は光ファイバテープ心線の両側位置に、抗張力繊維を紫外線硬化型樹脂、熱硬化型樹脂、又は熱可塑性樹脂で一括成形された保護材を配置したことを特徴とする光ファイバケーブルが提案されている。
【０００５】
特許文献２には、同様の構成で合成樹脂からなるモノワイラメントが提案されている。
【０００６】
【特許文献１】特開２００７−７２３７９号公報
【特許文献２】特開２００６−３１３３１４号公報
【発明の開示】
【発明が解決しようとする課題】
【０００７】
従来提案された構造によればクマゼミによる光ファイバ心線の損傷又は断線は減ってきたが、完全にクマゼミの産卵管による損傷又は断線を防ぐまでには至っていない。
【０００８】
本発明は、かかる点に鑑みてクマゼミが産卵しようとしても、光ファイバ心線にまで産卵管が到達することのない光ファイバを提供することを目的とする。
【課題を解決するための手段】
【０００９】
本発明は、紫外線硬化型樹脂で被覆成形した１本以上の光ファイバ心線と、１本以上の抗張力体と、前記光ファイバ心線の両側位置に配置された保護材からなる防御テープと、を熱可塑性樹脂で一括成形被覆した光ファイバケーブルにおいて、
前記防御テープは、一括成形被覆体の外表面に向って尖頭部が形成されること
を特徴とする光ファイバケーブルを提供する。
【００１０】
本発明はまた、前記防御テープは、断面三角形防御テープであることを特徴とする光ファイバケーブルを提供する。
【００１１】
本発明はまた、前記防御テープは、断面平板状テープに、該平板状テープと一体とされ、該平板状テープの平板面よりも小さい底面積の断面三角形状テープから形成されることを特徴とする光ファイバケーブルを提供する。
【００１２】
本発明はまた、前記一括成形被覆体の外表面部には、前記尖頭部に向けて切り込みが設けられていることを特徴とする光ファイバケーブルを提供する。
【発明の効果】
【００１３】
本発明によれば、保護材からなる防御テープは、一括成形被覆体の外表面に向いて尖頭部が形成されるようにしているために、クマゼミの産卵管は尖頭部によって斜めの方向にずれたものとなって光ファイバ心線にまで到達することがなく、これによって産卵管による損傷では断線を防ぐことができる。
【発明を実施するための最良の形態】
【００１４】
以下、本発明の実施例を図面に基づいて説明する。
【実施例１】
【００１５】
図１は、本発明の実施例の構成を示す図である。
図１（イ）は１つの例を、そして図１（ロ）は変形例を示す。図１（イ）において、光ファイバケーブル１０は、ケーブル本体部１１と支持線部１２とで構成される。ケーブル本体部１１は、１本以上（図中では２本を図示）の光ファイバ心線１３，１３、Ａ抗張力体１４，１４Ａと、保護材からなる防御テープ１５，１５Ａと、熱可塑性樹脂で成形された一括成形被覆体１６が構成される。支持線部１２は、金属線材からなる線材本体（支持線）１７と、一括成形被覆体１８で構成される。一括成形被覆体１６と一括成形被覆体１８は一体的な構成であってもよい。光ファイバ心線１３，１３Ａ、抗張力体１４，１４Ａおよび線材本体１７は平行に、かつ一平面上に配設される。
【００１６】
防御テープ１５，１５Ａは、長手方向に一定の張力を付与した抗張力繊維を紫外線硬化型樹脂、熱硬化型樹脂、又は熱可塑性樹脂で一括成形させたものからなる。抗張力繊維は、複数本の繊維を一方向に配向したものや、繊維の織物などで構成される。
【００１７】
また、抗張力繊維の隣接する繊維間間隔（又は抗張力繊維のメッスサイズ）は、タマゼミの産卵管の外径よりも小さくされる。
【００１８】
そして、防御テープ１５，１５Ａは、一括成形被覆体１６の外表面に向いて尖頭部１９，１９Ａが形成される。図１（イ）に示す場合、防御テープ１５，１５Ａは断面三角形としてあり、頂角が尖頭部１９，１９Ａを形成する。このような尖頭部１９，１９Ａを設けることによってクマゼミの産卵管は尖頭部の形状によって斜め方向にずれることになって光ファイバ心線１３，１３Ａまで到達しない。これによって、光ファイバ心線１３，１３Ａの損傷又は断線が防止されることになる。
【００１９】
保護材の抗張力繊維として、引張弾性率が約１０８ＧＰａのｐ型アラミド繊維を用いることができる。
抗張力繊維としては、例えば、アラミド繊維、ＰＶＡ繊維、ＰＢＯ繊維、ポリアセタール繊維、ＰＰ繊維、ＰＴＴ繊維、ポリアリレート繊維、ガラス繊維、などが挙げられる。
保護材を構成する熱硬化型樹脂としては、例えば、不飽和ポリエステル系、フェノール系、エポキシ系、ウレタン系、ビニルエステル系、などが挙げられる。
【００２０】
また、保護材を構成する熱可塑性樹脂としては、例えば、ＡＢＳ樹脂、ＡＥＳ樹脂、ＡＢＳ／ＰＶＣアロイ、ＡＳＡ樹脂、エチレン−塩化ビニル共重合体、フッ素樹脂、ポリアミドイミド、ポリアレート、オレフィンビニルアルコール重合体、フェノール樹脂、ポリアミド系樹脂（アモルファスポリアミド、変性ポリアミドなど）、ポリプチレンテレフタレート、ポリカーボネート、ポリエーテルスルホン、ポリチオエーテルスルホン、ポリエチレンテレフタレート、ポリイミド、ノルボルネン樹脂、ポリフェニレンエーテル、ポリフェニレンスルフィド、ポリ塩化ビニルなどや、これらの樹脂を主材として、変性又は合成、混合したもの、炭酸カルシウムやチタン酸カリウムウィスカー、カオリン粘土、タルク（登録商標）や雲母などの充填材を添加して硬度を向上させたもの、或いは架橋材を添加した後に架橋させて硬度を向上させたもの、などが挙げられる。
【００２１】
また、保護材１７を構成する紫外線硬化型樹脂としては、例えば、汎用で用いられているウレタン系の他に、窒素系、エポキシ系などが挙げられる。
【００２２】
図１は（ロ）は、図１（イ）の変形例を示す。図１（イ）と異なる点は、一括成形被覆体１６の外表面部には、尖頭部１９，１９Ａに向けて切り込み（ノッチ）２０，２０Ａが設けられていることである。防御テープ１５，１５Ａを三角形状とすることによって尖頭部１９，１９Ａを形成することができ、この構成によってクマゼミの産卵管が切り込みに沿って一括成形被覆体１０につきささっても尖頭部１９，１９Ａで方向が斜め方向にずれて図１（イ）と同様に産卵管が光ファイバ心線１３，１３Ａまで到達しない。
【００２３】
図１の構成によれば、更に次のような効果が達成される。
テープを３角形にし、鋭角部分を外側に対向させることで、ノッチが不要となる。
又はノッチの深さを従来の５分の１程度とできるため、従来に比して曲げ剛性が高まり、曲げ損失が小さい。
内部にノッチを設けた公知例に比して、防禦テープが充填してあるため、ファイバ心線のバッファ層の役をなし、環境温度の変化（−３０〜６０℃）に対して損失特性が改良される。
【実施例２】
【００２４】
図２は、本発明の第二の実施例を示す図である。図２（イ）は図１（イ）に、そして図２（ロ）は図２（ロ）に対応する。図１に示す構成については同一の番号が付してあり、図１の説明を援用する。
【００２５】
図２（イ）において、図１（イ）と異なる点は、防御テープ１５，１５Ａの構成にある。防御テープ１５，１５Ａは、断面平板状テープ３１，３１Ａに、平板状テープ３１，３１Ａと一体とされ、平板状テープ３１，３１Ａの平板面よりも小さい底面積の断面三角形状テープ３２，３２Ａとから形成される。断面三角形状テープ３２，３２Ａによって尖頭部１９，１９Ａが形成され、図１（イ）と同様の効果が得られる。
【００２６】
図２（ロ）は図２（イ）の変形例であり、図１（ロ）に示すと同様にして切り込み２０，２０Ａが形成される。
【図面の簡単な説明】
【００２７】
【図１】本発明の実施例の構成を示す図。
【図２】本発明の他の実施例の構成を示す図。
【符号の説明】
【００２８】
１０…光ファイバケーブル、１１…ケーブル本体、１２…支持線部、１３，１３Ａ…光ファイバ心線、１４，１４Ａ…抗張力体、１５，１５Ａ…防御テープ、１６…一括成形被覆体、１７…線材本体（支持線）、１８…一括成形被覆体、１９，１９Ａ…尖頭部、２０，２０Ａ…切り欠き（ノッチ，空隙）。
【図１】
2009139439.tif 000003
【図２】
2009139439.tif 000004